(57)【要約】  送信制御部１４はバッファ１１から蓄積情報を取得し、回帰信号から変調方式要求情報及び送信電力要求情報を取得し、蓄積情報、変調方式要求情報、及び前記送信電力要求情報に基づいて送信部１２における変調方式及び送信電力を制御する。受信情報生成部２３は受信部２１から受信情報を取得し、受信情報に基づいて変調方式要求情報及び送信電力要求情報を生成する。送信部２４は変調方式要求情報及び送信電力要求情報を含む回帰信号を送信装置２に送信する。
2014020796.tif 000002
【特許請求の範囲】
【請求項１】
伝送速度可変に入力される伝送信号を送信する送信手段と、前記送信手段により送信された伝送信号を受信する受信手段とを備え、
前記送信手段は、
前記伝送信号を一時的に保存するバッファと、
前記バッファに保存された前記伝送信号を前記受信手段に送信する送信側送信手段と、
前記受信手段が送信する回帰信号を受信する送信側受信手段と、
前記バッファから蓄積情報を取得し、前記回帰信号から変調方式要求情報及び送信電力要求情報を取得し、前記蓄積情報、前記変調方式要求情報、及び前記送信電力要求情報に基づいて、前記送信側送信手段における変調方式及び送信電力を制御する送信制御手段とを備え、
前記受信手段は、
前記送信側送信手段から送信された信号を受信する受信側受信手段と、
前記受信側受信手段により受信された信号から前記伝送信号を抽出して所定の機構に出力する出力手段と、
前記受信側受信手段から信号の受信状態を示す受信情報を取得し、前記受信情報に基づいて現在の前記受信状態を理想的な状態にするため前記変調方式要求情報及び前記送信電力要求情報を生成する受信情報生成手段と、
前記受信情報生成手段により生成された前記変調方式要求情報及び前記送信電力要求情報を含む回帰信号を前記送信側受信手段に送信する受信側送信手段とを備える
無線通信システム。
【請求項２】
前記送信制御手段は、新たに取得された前記蓄積情報に基づく前記変調方式の多値数が実行中の前記変調方式の多値数より小さい場合には、当該実行中の変調方式を当該新たに取得された蓄積情報に基づく変調方式に変更した後、前記送信電力要求情報に基づいて前記送信電力を低下させる
請求項１に記載の無線通信システム。
【請求項３】
前記送信制御手段は、新たに取得された前記蓄積情報に基づく前記変調方式の多値数が実行中の前記変調方式の多値数より大きい場合には、前記変調方式要求情報に基づく前記変調方式により当該新たに取得された蓄積情報に基づく変調方式の多値数を実現することが可能であるならば当該実行中の変調方式を当該変調方式要求情報に基づく変調方式に変更し、当該変調方式要求情報に基づく変調方式によっては当該新たに取得された蓄積情報に基づく変調方式の多値数を実現することが不可能であるならば前記送信電力を高める
請求項１又は２に記載の無線通信システム。
【請求項４】
前記送信制御手段は、前記変調方式要求情報に基づく前記変調方式の多値数が実行中の前記変調方式の多値数より小さい場合には、前記送信電力要求情報に基づいて前記送信電力を高め、その後に当該変調方式要求情報に基づく変調方式と当該蓄積情報に基づく変調方式とが同一にならなかった場合には、当該実行中の変調方式を当該変調方式要求情報に基づく変調方式に変更する
請求項１〜３のいずれか１項に記載の無線通信システム。
【請求項５】
前記送信制御手段は、前記変調方式要求情報に基づく前記変調方式の多値数が実行中の前記変調方式の多値数より大きい場合には、前記送信電力を低下させる
請求項１〜４のいずれか１項に記載の無線通信システム。
【請求項６】
２つの偏波処理手段を備え、
前記バッファへの前記伝送信号の蓄積量が片偏波で伝送可能な量である場合に、一方の前記偏波処理手段を停止させる
請求項１〜５のいずれか１項に記載の無線通信システム。
【請求項７】
前記伝送信号は、ＬＡＮ信号である
請求項１〜６のいずれか１項に記載の無線通信システム。
【請求項８】
伝送速度可変に入力される伝送信号を送信する送信手段と、前記送信手段により送信された伝送信号を受信する受信手段とを備える無線通信システムの制御方法であって、
バッファに一時的に保存された前記伝送信号を前記受信手段に送信し、
前記受信手段が送信する回帰信号を前記送信手段が受信し、
前記バッファから蓄積情報を取得し、前記回帰信号から変調方式要求情報及び送信電力要求情報を取得し、前記蓄積情報、前記変調方式要求情報、及び前記送信電力要求情報に基づいて、前記送信手段における変調方式及び送信電力を制御し、
前記送信手段から送信された信号を前記受信手段が受信し、
前記受信手段により受信された信号から前記伝送信号を抽出して所定の機構に出力し、
前記受信手段における信号の受信状態を示す受信情報を取得し、前記受信情報に基づいて現在の前記受信状態を理想的な状態にするため前記変調方式要求情報及び前記送信電力要求情報を生成し、
前記変調方式要求情報及び前記送信電力要求情報を含む前記回帰信号を前記送信手段に送信する
無線通信システムの制御方法。
【発明の詳細な説明】
【技術分野】
【０００１】
本発明は、無線通信システム及びその制御方法に関し、特にＬＡＮ(Local Area Network)信号等の伝送速度可変に入力される信号の伝送技術に関する。
【背景技術】
【０００２】
当該技術分野に関連するものとして、以下の文献が挙げられる。特許文献１は、無線通信装置において、高スループット又は低消費電力にしつつも通信の信頼性を確保できるようにすることを目的として、受信部にて受信した信号の誤差に基づいて伝送路状態を評価する伝送路状態評価値を算出すると共に、受信部にて受信した信号からフェージング状態を評価するフェージング評価値を算出し、伝送路状態評価値とフェージング評価値とに基づいて送信のデータレートを選択し、当該データレートに従った変調を実行する構成を開示している。【０００３】
特許文献２は、送受信装置の変調方式制御方法において、通信品質を保持しつつ消費電力を低減することを目的として、一定の通信品質を満足し得る第一変調方式を決定し、送信データのトラフィック量を送信可能な最低の伝送速度となる第二の変調方式を決定し、伝送速度が低い方を選択する構成を開示している。【０００４】
特許文献３は、無線通信システムにおいて、フェージングが発生する通信環境下であってもフレームエラーの発生を防止できるようにすることを目的として、送信信号に基づいて回線品質情報を把握し、送信信号に含まれる送信電力情報を取得し、回線品質情報及び送信電力情報に基づいて無線通信端末側の変調方式を決定する構成を開示している。【０００５】
特許文献４は、伝送速度可変のデータ信号を入出力するためのインタフェースを有する無線伝送装置において、伝送効率の向上を図ることを目的として、バッファ蓄積情報信号と所定のバッファ閾値とに基づいて生成される変調方式変更可否信号に基づいてデータ信号の変調方式の切替及び切替タイミングを決定し、変調方式を切り替える場合に出力される変調方式制御信号に基づいて変調方式の切替を行う構成を開示している。
【先行技術文献】
【特許文献】
【０００６】
【特許文献１】特開２０１１−４１１８号公報
【特許文献２】特開２００６−１６５９３９号公報
【特許文献３】特開２０１１−５５５４４号公報
【特許文献４】特開２０１０−１６６１３１号公報
【発明の概要】
【発明が解決しようとする課題】
【０００７】
近年、様々な通信サービスが混在するネットワークにおいて、音声・動画のリアルタイム通信、テレビ電話等の通信の遅延、停止等が許されないサービスが増加している。このようなサービスにおいては、伝送帯域の確保、低遅延、低パケット損失率等の伝送品質を確保するための技術が必要とされる。【０００８】
また、ネットワークを構成する無線伝送装置においては、無線伝送路の回線状況に合わせて変調方式を変更し、最適な無線伝送容量を確保する適応変調方式を採用することが望ましい。しかし、この種の従来技術においては、ＬＡＮ信号のようにバースト的に発生する伝送速度可変に入力される伝送信号に対する考慮がほとんどなされていない。例えば、従来技術においては、無線伝送容量が無線伝送路の回線状況に合わせて最大となるように決定されるため、ＬＡＮ信号の入力が少ない場合にはＬＡＮ信号を重畳しない状態で無線伝送が行われることとなる。従って、消費電力の浪費等の問題が生じていた。【０００９】
そこで、本発明は、伝送速度可変に入力される信号を伝送する場合に、送信側と受信側の状態を考慮して最適な通信状態を確立すると共に、消費電力を削減できるようにすることを目的とする。
【課題を解決するための手段】
【００１０】
本発明の第１の態様は、伝送速度可変に入力される伝送信号を送信する送信手段と、前記送信手段により送信された伝送信号を受信する受信手段とを備え、前記送信手段は、前記伝送信号を一時的に保存するバッファと、前記バッファに保存された前記伝送信号を前記受信手段に送信する送信側送信手段と、前記受信手段が送信する回帰信号を受信する送信側受信手段と、前記バッファから蓄積情報を取得し、前記回帰信号から変調方式要求情報及び送信電力要求情報を取得し、前記蓄積情報、前記変調方式要求情報、及び前記送信電力要求情報に基づいて、前記送信側送信手段における変調方式及び送信電力を制御する送信制御手段とを備え、前記受信手段は、前記送信側送信手段から送信された信号を受信する受信側受信手段と、前記受信側受信手段により受信された信号から前記伝送信号を抽出して所定の機構に出力する出力手段と、前記受信側受信手段から信号の受信状態を示す受信情報を取得し、前記受信情報に基づいて現在の前記受信状態を理想的な状態にするため前記変調方式要求情報及び前記送信電力要求情報を生成する受信情報生成手段と、前記受信情報生成手段により生成された前記変調方式要求情報及び前記送信電力要求情報を含む回帰信号を前記送信側受信手段に送信する受信側送信手段とを備える無線通信システムである。【００１１】
本発明の第２の態様は、伝送速度可変に入力される伝送信号を送信する送信手段と、前記送信手段により送信された伝送信号を受信する受信手段とを備える無線通信システムの制御方法であって、バッファに一時的に保存された前記伝送信号を前記受信手段に送信するステップと、前記受信手段が送信する回帰信号を前記送信手段が受信するステップと、前記バッファから蓄積情報を取得し、前記回帰信号から変調方式要求情報及び送信電力要求情報を取得し、前記蓄積情報、前記変調方式要求情報、及び前記送信電力要求情報に基づいて、前記送信手段における変調方式及び送信電力を制御するステップと、前記送信手段から送信された信号を前記受信手段が受信するステップと、前記受信手段により受信された信号から前記伝送信号を抽出して所定の機構に出力するステップと、前記受信手段における信号の受信状態を示す受信情報を取得し、前記受信情報に基づいて現在の前記受信状態を理想的な状態にするため前記変調方式要求情報及び前記送信電力要求情報を生成するステップと、前記変調方式要求情報及び前記送信電力要求情報を含む前記回帰信号を前記送信手段に送信するステップとを備える無線通信システムの制御方法である。
【発明の効果】
【００１２】
本発明によれば、伝送速度可変に入力される信号を伝送する場合に、送信側と受信側の状態を考慮して最適な通信状態を確立すると共に、消費電力を削減できるようにすることが可能となる。
【図面の簡単な説明】
【００１３】
【図１】本発明の実施の形態１に係る無線通信システムの構成を示す図である。
【図２】実施の形態１に係る無線通信システムの送信装置の具体的な構成を例示する図である。
【図３】実施の形態１に係る無線通信システムの受信装置の具体的な構成を例示する図である。
【図４】新たに取得された蓄積情報に基づく変調方式の多値数が実行中の変調方式の多値数より小さい場合における無線通信システムの動作を例示するフローチャートである。
【図５】新たに取得された蓄積情報に基づく変調方式の多値数が実行中の変調方式の多値数より大きい場合における無線通信システムの動作を例示するフローチャートである。
【図６】変調方式要求情報に基づく変調方式の多値数が実行中の変調方式の多値数より小さい場合における無線通信システムの動作を例示するフローチャートである。
【図７】変調方式要求情報に基づく変調方式の多値数が実行中の変調方式の多値数より大きい場合における無線通信システムの動作を例示するフローチャートである。
【発明を実施するための形態】
【００１４】
実施の形態１
以下、図面を参照して本発明の実施の形態について説明する。図１は、本実施の形態に係る無線通信システム１の構成を示している。無線通信システム１は、無線装置２と無線装置３とを含む。無線装置２と無線装置３とは、互いに無線通信可能な状態となっている。通信システム１は、無線装置２に伝送速度可変に入力された伝送信号を無線装置３に伝送する機能を有する。また、通信システム１は、無線装置３に伝送速度可変に入力された伝送信号を無線装置２に伝送する機能も有するが、ここでは、無線装置２に伝送速度可変に入力された伝送信号を無線装置３に伝送する場合について説明する。
【００１５】
無線装置２の送信側機能は、バッファ１１、送信部１２、受信部１３、及び送信制御部１４を有する。
【００１６】
バッファ１１は、外部から入力された伝送信号を一時的に保存する。伝送信号とは、伝送速度可変に入力される信号であり、例えばバースト的に発生するＬＡＮ信号等である。
【００１７】
送信部１２は、バッファ１１に保存された伝送信号を受信装置３の受信部２１に送信する。送信部１２の送信処理は、送信制御部１４により制御される。具体的には、送信部１２の変調方式及び送信電力が送信制御部１４により生成される変調方式制御信号及び送信電力制御信号により制御される。
【００１８】
受信部１３は、無線装置３の送信部２４が送信する回帰信号を受信する。回帰信号については後述する。
【００１９】
送信制御部１４は、バッファ１１から蓄積情報を取得する。蓄積情報とは、バッファ１１に保存されている伝送信号の蓄積量を示す情報である。また、送信制御部１４は、受信部１３が受信した回帰信号から変調方式要求情報及び送信電力要求情報を取得する。変調方式要求情報及び送信電力要求情報については後述する。そして、送信制御部１４は、蓄積情報、変調方式要求情報、及び送信電力要求情報に基づいて、バッファ１１の蓄積状態及び無線装置３の受信部２１の受信状態が最適化されように、変調方式制御信号及び送信電力制御信号を生成する。
【００２０】
無線装置３の受信側機能は、受信部２１、入出力ポート２２、受信情報生成部２３、及び送信部２４を有する。
【００２１】
受信部２１は、送信装置２の送信部１２から送信された信号を受信する。
【００２２】
入出力ポート２２は、受信部２１により受信された信号に含まれる伝送信号を所定の機構に出力する。
【００２３】
受信情報生成部２３は、受信部２１から受信状態を示す受信情報を取得する。受信情報とは、信号の受信レベル、ＣＮ比(搬送波対雑音比)等である。そして、受信情報生成部２３は、受信情報に基づいて変調方式要求情報及び送信電力要求情報を生成する。変調方式要求情報とは、現実の受信状態を理想的な受信状態にするために必要な変調方式を示す情報である。送信電力要求情報とは、現実の受信状態を理想的な受信状態にするために必要な送信電力を示す情報である。
【００２４】
送信部２４は、受信情報生成部２３により生成された変調方式要求情報及び送信電力要求情報を含む回帰信号を無線装置２の受信部１３に送信する。回帰信号は、例えば入出力ポート２２に外部から入力される伝送信号に変調方式要求情報及び送信電力要求情報を示す信号を重畳した信号等である。
【００２５】
以上のように、本実施の形態に係る通信システム１によれば、無線装置２の送信部１２における変調方式及び送信電力が、バッファ１１の蓄積情報と無線装置３からの回帰信号に含まれる変調方式要求情報・送信電力要求情報とに基づいて最適化される。これにより、無線装置２に入力されるＬＡＮ信号の伝送速度の変化、無線装置３の受信状態の変化等に対応して、バッファ漏れ、パケットロス等の防止、消費電力の抑制等を実現することが可能となる。
【００２６】
図２は、無線装置２の送信側機能の具体的な構成を例示している。図３は、無線装置３の受信側機能の具体的な構成を例示している。本例に係る無線装置２及び無線装置３によりデジタルマイクロ波通信システムが構成される。
【００２７】
ここでは無線装置２から無線装置３への伝送についてのみ説明するが、無線装置２と受信装置３とに同様の機能を備えることにより、無線装置３から無線装置２への伝送も可能である。
【００２８】
無線装置２の送信側機能は、入出力ポート３１、バッファ制御部３２、送信制御部３３、Ｖ(Vertical)偏波処理部３４、Ｈ(Horizontal)偏波処理部３５、偏分波器３６、及びアンテナ３７を有する。Ｖ偏波処理部３４及びＨ偏波処理部３５は、それぞれ変調部４１，５１、復調部４２，５２、送信部４３，５３、受信部４４，５４、変調方式制御部４５，５５、送信電力制御部４６，５６、及び受信情報抽出部４７，５７を有する。
【００２９】
無線装置３の受信側機能は、入出力ポート６１、バッファ制御部６２、Ｖ偏波処理部６３、Ｈ偏波処理部６４、偏分波器６５、及びアンテナ６６有する。Ｖ偏波処理部６３及びＨ偏波処理部６４は、それぞれ変調部７１，８１、復調部７２，８２、送信部７３，８３、受信部７４，８４、受信レベル測定部７５，８５、ＣＮ比測定部７６，８６、及び受信情報生成部７７，８７を有する。
【００３０】
送信装置２の入出力ポート３１から入力されたＬＡＮ信号（伝送信号）は、アンテナ３７を経由して対向局である受信装置３に送信される。入出力ポート３１に入力されたＬＡＮ信号は、バッファ制御部３２に入力され、バッファリング処理を受けた後、変調部４１又は変調部５１に入力される。バッファ制御部３２は、バッファに保存されたＬＡＮ信号を送信ベースバンド信号として変調部４１，５１に出力する。また、バッファ制御部３２は、バッファに蓄積されたＬＡＮ信号の蓄積量（蓄積情報）を示す信号を送信制御部３３に出力する。
【００３１】
送信制御部３３は、バッファ制御部３２が出力する信号から蓄積情報を取得する。また、送信制御部３３は、受信情報抽出部４７，５７が出力する信号から変調方式要求情報及び送信電力要求情報を取得する。変調方式要求信号及び送信電力要求情報は、受信装置３からの回帰信号に含まれる情報である。そして、送信制御部３３は、蓄積情報、変調方式要求信号、及び送信電力要求情報に基づいて、変調方式制御部４５，５５に対する制御信号（変調方式制御信号）及び送信電力制御部４６に対する制御信号（送信電力制御信号）を生成する。即ち、変調方式制御部４５，５５は、バッファ制御部３２から取得される蓄積情報に基づいて無線装置２のバッファの蓄積状態に応じた送信制御を実行すると共に、変調方式要求情報及び送信電力要求情報に基づいて無線装置３の受信状態に応じた送信制御を実行する。
【００３２】
変調部４１，５１に入力された送信ベースバンド信号は、変調方式制御部４５，５５の制御により指定された変調方式に変調された後、送信変調信号として送信部４３，５３に入力される。送信部４３，５３は、当該送信変調信号に対して送信電力制御部４６，５６の制御により送信電力の制御を行い、それぞれＶ偏波とＨ偏波を生成して出力する。当該Ｖ偏波とＨ偏波は偏分波器３６で合成されて送信波（伝送信号）となり、アンテナ３７を経由して受信装置３に送信される。
【００３３】
受信装置３が受信した伝送信号は、入出力ポート６１から所定の機構に出力される。アンテナ６６が受信した伝送信号は、偏分波器６５によりＶ偏波信号とＨ偏波信号に分離される。Ｖ偏波信号は、受信部７４で増幅されると共に中間周波数帯の信号に変化される。Ｈ偏波信号は、受信部８４で増幅されると共に中間周波数帯の信号に変化される。
【００３４】
受信部７４，８４からの出力信号は、復調部７２，８２によりデジタル信号に復調され、受信ベースバンド信号としてバッファ制御部６２に入力される。バッファ制御部６２に入力された受信ベースバンド信号は、バッファリング処理された後、受信ＬＡＮ信号として入出力ポート６１に入力される。
【００３５】
受信レベル測定部７５，８５は、受信部７４，８４と復調部７２，８２の制御信号から受信レベル情報を取得し、この受信レベル情報を含む信号を受信情報生成部７７，８７に出力する。ＣＮ比測定部７６，８６は、受信ベースバンド信号に基づいて、ＣＮ比情報と当該信号についての変調方式情報とを取得し、これらＣＮ比情報と変調方式情報とを含む信号を受信情報生成部７７，８７に出力する。
【００３６】
受信情報生成部７７，８７は、上記受信レベル情報、ＣＮ比情報、及び変調方式情報に基づいて、変調方式要求情報及び送信電力要求情報を生成する。変調方式要求情報とは、現実の受信状態を理想的な受信状態にするために必要な変調方式を示す情報である。送信電力要求情報とは、現実の受信状態を理想的な受信状態にするために必要な送信電力を示す情報である。このように生成された変調方式要求情報及び送信電力要求情報を示す信号は、変調部７１，８１においてバッファ制御部６２から出力される伝送信号に重畳される。本例においては、このように伝送信号に変調方式要求情報及び送信電力要求情報を示す信号を重畳した信号が回帰信号となる。
【００３７】
ここで、上記図２及び図３に示す無線装置２及び無線装置３における信号の流れを説明する。バッファ制御部３２は、入出力ポート３１から入力される送信ＬＡＮ信号に対してバッファリング処理を施した後、変調部４１，５１に送信ベースバンド信号を出力すると共に、蓄積情報を含む信号を送信制御部３３に出力する。
【００３８】
アンテナ３７及び偏分波器３６を介して受信部４４，５４により受信された回帰信号は、復調部４２，５２によりデジタル信号に復調され、受信情報抽出部４７，５７に入力される。送信制御部３３は、上記蓄積情報と、受信情報抽出部４７，５７により回帰信号から取得された変調方式要求情報とに基づいて、バッファ閾値を設定すると共に変調方式制御信号を生成する。また、送信制御部３３は、受信情報抽出部４７，５７により回帰信号から取得された送信電力要求情報に基づいて送信電力制御信号を生成する。変調方式制御信号は変調方式制御部４５，５５に入力され、送信電力制御信号は送信電力制御部４６，５６に入力される。また、送信制御部３３は、蓄積情報、変調方式要求情報、及び送信電力要求情報の組み合わせによっては、バッファ制御部３２に対してＰＡＵＳＥ制御信号を出力する。
【００３９】
変調部４１，５１は、バッファ制御部３２が出力する送信ベースバンド信号に対して変調方式制御部４５，５５から指示される変調方式により変調処理を行い、当該変調処理により生成した信号を送信部４３，５３に出力する。送信部４３，５３は、変調部４１，５１から入力された信号に対してＤＡ変換、周波数変換等の無線送信処理を行うと共に、送信電力制御部４６，５６から指示に従って送信電力の調整を行う。このようにして各送信部４３，５３により生成されたＶ偏波信号及びＨ偏波信号は、偏分波器３６により合成されて伝送信号となり、アンテナ３７を介して送信される。
【００４０】
無線装置３のアンテナ６６により受信された伝送信号は、偏分波器６５によりＶ偏波信号とＨ偏波信号に分離される。Ｖ偏波無線信号は、受信部７４により周波数変換、ＡＤ変換等の無線受信処理が行われた後、復調部７２に入力される。Ｈ偏波無線信号は、受信部８４により周波数変換、ＡＤ変換等の無線受信処理が行われた後、復調部８２に入力される。
【００４１】
復調部７２，８２は、入力された信号に対して復調処理を行い、受信ベースバンド信号を生成してバッファ制御部６２に出力する。受信レベル測定部７５，８５は、復調部７２，８２に入力される信号を監視して導出した信号の受信レベルを示す受信レベル情報を生成し、この受信レベル情報を含む信号を受信情報生成部７７，８７に出力する。ＣＮ比測定部７６，８６は、復調部７２，８２における受信ベースバンド信号を監視して導出したＣＮ比及び変調方式のそれぞれを示すＣＮ比情報及び変調方式情報を生成し、これらＣＮ比情報及び変調方式情報を含む信号を受信情報生成部７７，８７に出力する。
【００４２】
受信情報生成部７７，８７は、受信レベル情報、ＣＮ比情報、及び変調方式情報に基づいて変調方式要求情報及び送信電力要求情報を生成し、これらの情報を含む信号をバッファ制御部６２からの伝送信号に重畳させて回帰信号を生成する。回帰信号は、送信部７３，８３、偏分波器６５、及びアンテナ６６を介して送信装置２に送信される。
【００４３】
次いで、送信制御部３３による変調方式及び送信電力の制御について説明する。送信制御部３３は、上記蓄積情報に対応するバッファ閾値を変調方式毎に保持している。当該バッファ閾値とは、多値数の大きい変調方式から多値数の小さい変調方式に変更する場合、即ち無線伝送容量が小さくなる方向に変更する場合に、バッファが溢れることなくパケット流量を調整できるようにするための閾値である。
【００４４】
送信制御部３３は、バッファ制御部３２から取得される蓄積情報を監視すると共に、回帰信号に含まれる変調方式要求情報及び送信電力要求情報を監視することにより、バッファの蓄積状態及び受信装置３の受信状態に応じた最適な変調方式及び送信電力を決定する。具体的には、以下のように変調方式及び送信電力の決定が行われる。
【００４５】
（１）新たに取得された蓄積情報に基づく変調方式の多値数が実行中の変調方式の多値数より小さい場合
新たに取得された蓄積情報と、実行中の変調方式のバッファ閾値とを比較した結果、蓄積情報が示すバッファの蓄積量がバッファ閾値よりも小さく、実行中の変調方式より多値数を小さくできる場合には、次のような処理を行うことができる。図４は、この場合の動作を例示している。送信制御部３３は、変調方式制御部４５，５５の何れか又は両方に対し、実行中の変調方式を新たに取得された蓄積情報に基づく変調方式に変更させる（Ｓ１０１）。すなわち、実行中の変調方式よりも多値数の小さい変調方式に変更する。この時、無線回線状態に変化がない場合（Ｓ１０２：Ｎ）には、受信装置３から受信した送信電力要求情報に基づいて送信電力制御部４６，５６の何れか又は両方に送信電力を低下させる（Ｓ１０３）。無線回線状態に変化がない場合には、変調方式の多値数が小さくなることにより必要な送信電力が低下するからである。例えば、受信情報生成部７７，８７は、ＣＮ比情報及び変調方式情報に基づいて、変調方式は多値数が小さくなるように変更されたが、その変更前後で無線回線状態が悪化（ＣＮ比が低下）していないと判定される場合には、送信電力を低下させるように要求する送信電力要求情報を生成する。更に、送信制御部３３は、片偏波で送信可能なバッファ蓄積量であれば（Ｓ１０４：Ｙ）、両偏波処理部３４，３５のうち一方を停止させる（Ｓ１０５）。これによって、消費電力を抑えることができる。例えば、送信制御部３３において、上記の変調方式の変更を判定するためのバッファ閾値の他に、片偏波で送信可能か否かを判定するためのバッファ閾値を変調方式毎に予め保持しておき、バッファの蓄積量がそのバッファ閾値よりも小さくなった場合に、片偏波で送信可能と判定するようにしてもよい。
【００４６】
（２）新たに取得された蓄積情報に基づく変調方式の多値数が実行中の変調方式の多値数より大きい場合
新たに取得された蓄積情報と、実行中の変調方式のバッファ閾値とを比較した結果、蓄積情報が示すバッファの蓄積量がバッファ閾値よりも大きく、実行中の変調方式より多値数を大きくする必要がある場合には、次のような処理を行うことができる。なお、この多値数を大きくするか否かを判定するバッファ閾値と、上述の多値数を小さくするか否かを判定するバッファ閾値は、別々に異なる値で保持していてもよい。例えば、多値数を大きくするか否かを判定するバッファ閾値は、多値数を小さくするか否かを判定するバッファ閾値よりも大きな値とする。図５は、この場合の動作を例示している。送信制御部３３は、先ず変調方式要求情報により要求された変調方式により所望の多値数にすることが可能であるか否かを判定し（Ｓ２０１）、可能であれば（Ｙ）、変調方式要求情報に基づく変調方式に変更する（Ｓ２０２）。すなわち、実行中の変調方式よりも多値数の大きい変調方式に変更する。なお、変調方式要求情報により要求される変調方式の多値数が、実行中の変調方式の多値数よりも大きい（蓄積情報に基づく変調方式の多値数以上）場合に、要求された変調方式の多値数にすることが可能であると判定される。例えば、受信情報生成部７７，８７は、無線回線状態が良い（ＣＮ比が高い、例えばＣＮ比が良好状態判定用閾値以上）である場合には、実行中の変調方式よりも多値数の大きい変調方式への変更を要求する変調方式要求情報を生成し、無線回線状態が悪い（ＣＮ比が低い、例えばＣＮ比が良好状態判定用閾値よりも低い悪化状態判定用閾値以下）である場合には、実行中の変調方式よりも多値数の小さい変調方式への変更を要求する変調方式要求情報を生成する。一方、ステップＳ２０１において変調方式要求情報に基づく変調方式によっては所望の多値数にすることが不可能であれば（Ｎ）、送信制御部３３は、当該変調方式要求情報に基づく変調方式と当該新たに取得された蓄積情報に基づく変調方式とが同じになるように、送信電力を高める（Ｓ２０３）。これによれば、無線装置３における信号の受信レベルを向上し、それによってＣＮ比を向上することができる。それでも所望の多値数が実現されない場合（Ｓ２０４：Ｎ）には、送信制御部３３はバッファ制御部３２に対してＰＡＵＳＥ制御等を実行し（Ｓ２０５）、入出力ポート３１に入力されるＬＡＮ信号のパケット流量を調整する。すなわち、現在よりもバッファ制御部３２のバッファに入力されるＬＡＮ信号の量を減少させることで、多値数の大きい変調方式に変更しなくても、バッファのオーバーフローが発生しないようにする。
【００４７】
（３）変調方式要求情報に基づく変調方式の多値数が実行中の変調方式の多値数より小さい場合
図６は、この場合の動作を例示している。送信制御部３３は、先ず送信電力要求情報に基づく送信電力より高い送信電力となるように送信電力制御部４６を制御する（Ｓ３０１）。これによれば、無線装置３における信号の受信レベルを向上してＣＮ比を向上し、受信情報生成部７７，８７で多値数の大きい変調方式を決定させるようにすることができる。それでも変調方式要求情報に基づく変調方式がバッファの蓄積情報に基づく変調方式と同じにならない場合（Ｓ３０２：Ｎ）には、送信制御部３３は当該変調方式要求情報に基づく変調方式に変更する（Ｓ３０３）と共に、バッファ制御部３２に対してＰＡＵＳＥ制御等を実行し（Ｓ３０４）、入出力ポート３１に入力されるＬＡＮ信号のパケット流量を調整する。すなわち、実行中の変調方式よりも多値数の小さい変調方式に変更されるため、現在よりもバッファ制御部３２のバッファに入力されるＬＡＮ信号の量を減少させることで、バッファのオーバーフローを防止する。例えば、受信情報生成部７７，８７は、受信レベルが高い（例えば受信レベルが高レベル判定用閾値以上）場合には、消費電力を低減するために、より低い送信電力となるように要求する送信電力要求情報を生成し、受信レベルが低い（例えば受信レベルが高レベル判定用閾値よりも低い低レベル判定用閾値以下）場合には、無線回線状態を良好にするために、より高い送信電力となるように要求する送信電力要求情報を生成する。
【００４８】
（４）変調方式要求情報に基づく変調方式の多値数が実行中の変調方式の多値数より大きい場合
図７は、この場合における動作を例示している。送信制御部３３は、先ず変調方式要求情報に基づく変調方式とバッファの蓄積情報に基づく変調方式とを比較する（Ｓ４０１）。そして、片偏波で伝送可能なバッファ蓄積量であれば（Ｓ４０２：Ｙ）、変調方式要求情報で要求される変調方式に変更すると共に、両偏波処理部３４，３５のうち一方を停止し（Ｓ４０３）、不可能であれば（Ｓ４０２：Ｎ）、実行中の変調方式を維持する（Ｓ４０４）と共に、送信電力を低くする（Ｓ４０５）。これにより、消費電力が抑えられる。例えば、変調方式要求情報で要求される変調方式の多値数が、バッファの蓄積情報に基づく変調方式の多値数の２倍以上大きい場合、片偏波で伝送してもバッファがオーバーフローするおそれはないため、片偏波で伝送可能なバッファ蓄積量であると判定する。また、ステップＳ４０４では、バッファの蓄積情報に基づく変調方式に変更するようにしてもよい。
【００４９】
上記本実施の形態によれば、無線装置２における変調方式及び送信電力がバッファの蓄積情報と無線装置３からの回帰信号に含まれる変調方式要求情報・送信電力要求情報とに基づいて最適化される。これにより、無線装置２に入力されるＬＡＮ信号の伝送速度の変化、無線装置３の受信状態の変化等に対応して、バッファ漏れ、パケットロス等の防止、消費電力の抑制等を実現することが可能となる。
【００５０】
尚、本発明は上記実施の形態に限られるものではなく、趣旨を逸脱しない範囲で適宜変更することが可能なものである。例えば、上記実施の形態においては、両偏波伝送方式を用いたシステムについて説明されているが、本発明はこれに限られるものではなく、片偏波伝送方式のシステムであっても適用可能なものである。
【００５１】
この出願は、２０１２年８月３日に出願された日本出願特願２０１２−１７２５４６を基礎とする優先権を主張し、その開示の全てをここに取り込む。
【符号の説明】
【００５２】
１  無線通信システム
２  無線装置
３  無線装置
１１  バッファ
１２  （送信側）送信部
１３  （送信側）受信部
１４，３３  送信制御部
２１  （受信側）受信部
２２  入出力ポート
２３  受信情報生成部
２４  （受信側）送信部
３１，６１  入出力ポート
３２，６２  バッファ制御部
３４，６３  Ｖ偏波処理部
３５，６４  Ｈ偏波処理部
３６，６５  偏分波器
３７，６６  アンテナ
４１，５１  変調部
４２，５２  復調部
４３，５３  送信部
４４，５４  受信部
４５，５５  変調方式制御部
４６，５６  送信電力制御部
４７，５７  受信情報抽出部
７１，８１  変調部
７２，８２  復調部
７３，８３  送信部
７４，８４  受信部
７５，８５  受信レベル測定部
７６，８６  ＣＮ比測定部
７７，８７  受信情報生成部
【図１】
2014020796.tif 000003
【図２】
2014020796.tif 000004
【図３】
2014020796.tif 000005
【図４】
2014020796.tif 000006
【図５】
2014020796.tif 000007
【図６】
2014020796.tif 000008
【図７】
2014020796.tif 000009
【手続補正書】
【提出日】平成27年10月23日(2015.10.23)
【手続補正１】
【補正対象書類名】特許請求の範囲
【補正対象項目名】全文
【補正方法】変更
【補正の内容】
【特許請求の範囲】
【請求項１】
伝送速度可変に入力される伝送信号を送信する送信手段と、前記送信手段により送信された伝送信号を受信する受信手段とを備え、
前記送信手段は、
前記伝送信号を一時的に保存するバッファと、
前記バッファに保存された前記伝送信号を前記受信手段に送信する送信側送信手段と、
前記受信手段が送信する回帰信号を受信する送信側受信手段と、
前記バッファから蓄積情報を取得し、前記回帰信号から変調方式要求情報及び送信電力要求情報を取得し、前記蓄積情報、前記変調方式要求情報、及び前記送信電力要求情報に基づいて、前記送信側送信手段における変調方式及び送信電力を制御する送信制御手段とを備え、
前記受信手段は、
前記送信側送信手段から送信された信号を受信する受信側受信手段と、
前記受信側受信手段により受信された信号から前記伝送信号を抽出して所定の機構に出力する出力手段と、
前記受信側受信手段から信号の受信状態を示す受信情報を取得し、前記受信情報に基づいて前記変調方式要求情報及び前記送信電力要求情報を生成する受信情報生成手段と、
前記受信情報生成手段により生成された前記変調方式要求情報及び前記送信電力要求情報を含む回帰信号を前記送信側受信手段に送信する受信側送信手段とを備え、
前記送信制御手段は、新たに取得された前記蓄積情報に基づく前記変調方式の多値数が実行中の前記変調方式の多値数より大きい場合には、前記変調方式要求情報に基づく前記変調方式により当該新たに取得された蓄積情報に基づく変調方式の多値数を実現することが可能であるならば当該実行中の変調方式を当該変調方式要求情報に基づく変調方式に変更し、当該変調方式要求情報に基づく変調方式によっては当該新たに取得された蓄積情報に基づく変調方式の多値数を実現することが不可能であるならば前記送信電力を高める、
無線通信システム。
【請求項２】
前記送信制御手段は、新たに取得された前記蓄積情報に基づく前記変調方式の多値数が実行中の前記変調方式の多値数より小さい場合には、当該実行中の変調方式を当該新たに取得された蓄積情報に基づく変調方式に変更した後、前記送信電力要求情報に基づいて前記送信電力を低下させる
請求項１に記載の無線通信システム。
【請求項３】
前記送信制御手段は、前記変調方式要求情報に基づく前記変調方式の多値数が実行中の前記変調方式の多値数より小さい場合には、前記送信電力要求情報に基づいて前記送信電力を高め、その後に当該変調方式要求情報に基づく変調方式と当該蓄積情報に基づく変調方式とが同一にならなかった場合には、当該実行中の変調方式を当該変調方式要求情報に基づく変調方式に変更する
請求項１又は２に記載の無線通信システム。
【請求項４】
前記送信制御手段は、前記変調方式要求情報に基づく前記変調方式の多値数が実行中の前記変調方式の多値数より大きい場合には、前記送信電力を低下させる
請求項１〜３のいずれか１項に記載の無線通信システム。
【請求項５】
２つの偏波処理手段を備え、
前記バッファへの前記伝送信号の蓄積量が片偏波で伝送可能な量である場合に、一方の前記偏波処理手段を停止させる
請求項１〜４のいずれか１項に記載の無線通信システム。
【請求項６】
前記伝送信号は、ＬＡＮ信号である
請求項１〜５のいずれか１項に記載の無線通信システム。
【請求項７】
伝送速度可変に入力される伝送信号を送信する送信手段と、前記送信手段により送信された伝送信号を受信する受信手段とを備える無線通信システムの制御方法であって、
バッファに一時的に保存された前記伝送信号を前記受信手段に送信し、
前記受信手段が送信する回帰信号を前記送信手段が受信し、
前記バッファから蓄積情報を取得し、前記回帰信号から変調方式要求情報及び送信電力要求情報を取得し、前記蓄積情報、前記変調方式要求情報、及び前記送信電力要求情報に基づいて、前記送信手段における変調方式及び送信電力を制御し、
前記送信手段から送信された信号を前記受信手段が受信し、
前記受信手段により受信された信号から前記伝送信号を抽出して所定の機構に出力し、
前記受信手段における信号の受信状態を示す受信情報を取得し、前記受信情報に基づいて前記変調方式要求情報及び前記送信電力要求情報を生成し、
前記変調方式要求情報及び前記送信電力要求情報を含む前記回帰信号を前記送信手段に送信し、
前記送信手段における変調方式及び送信電力の制御では、新たに取得された前記蓄積情報に基づく前記変調方式の多値数が実行中の前記変調方式の多値数より大きい場合には、前記変調方式要求情報に基づく前記変調方式により当該新たに取得された蓄積情報に基づく変調方式の多値数を実現することが可能であるならば当該実行中の変調方式を当該変調方式要求情報に基づく変調方式に変更し、当該変調方式要求情報に基づく変調方式によっては当該新たに取得された蓄積情報に基づく変調方式の多値数を実現することが不可能であるならば前記送信電力を高める、
無線通信システムの制御方法。
【国際調査報告】
2014020796.tif 000010
2014020796.tif 000011
2014020796.tif 000012
2014020796.tif 000013